(57)【要約】【課題】電源の供給が突然停止しても残像やちらつきの発生を十分に軽減できる液晶表示装置を供給すること。【解決手段】液晶表示装置は、停止用クロックを発生する発振器と、一端に電源装置から電源電位が供給され、他端に駆動用電源電位を生じるとともに前記他端から前記一端への電位の供給を防ぐダイオードと、電源電位が供給停止されることが検出される前は表示コントローラから出力される表示用水平同期信号と表示用垂直同期信号とに基づいて駆動用水平同期信号と駆動用垂直同期信号とを出力し、電源電位が供給停止されることが検出された後は停止用クロックに基づいて駆動用水平同期信号と駆動用垂直同期信号とを出力する制御信号選択回路と、映像信号に基づく電圧を液晶に印加する複数の画素回路と、駆動用水平同期信号と駆動用垂直同期信号とに基づいて、複数の画素回路に映像信号を供給する駆動回路と、を含む。【選択図】図２
2011043761.tif 000002
【特許請求の範囲】
【請求項１】
停止用クロック信号を発生する停止用クロック発振器と、
一端に電源装置から電源電位が供給され、他端に駆動用電源電位を生じるとともに前記他端から前記一端への電位の供給を防ぐダイオードを含む電源調整回路と、
電源装置が前記電源電位を供給停止することを検出する検出部と、
前記電源電位が供給停止されることが検出される前は表示コントローラから出力される表示用水平同期信号と表示用垂直同期信号とに基づいて駆動用水平同期信号と駆動用垂直同期信号とを出力し、前記電源電位が供給停止されることが検出された後は前記停止用クロック信号に基づいて駆動用水平同期信号と駆動用垂直同期信号とを出力する制御信号選択回路と、
映像信号に基づく電圧を液晶に印加する複数の画素回路と、
前記駆動用水平同期信号と前記駆動用垂直同期信号とに基づいて、前記複数の画素回路に映像信号を供給する駆動回路と、
を含むことを特徴とする液晶表示装置。
【請求項２】
前記電源調整回路は、一端が前記ダイオードの前記他端に接続され、他端に基準電位が供給されるキャパシタをさらに含む、
ことを特徴とする請求項１に記載の液晶表示装置。
【請求項３】
前記駆動回路は前記電源電位が供給停止されることが検出された後に前記駆動用水平同期信号と前記駆動用垂直同期信号とに基づいて前記画素回路が前記液晶に印加する電圧を前記停止信号の受信前より０に近づける映像信号を前記複数の画素回路に供給する、
ことを特徴とする請求項１または２に記載の液晶表示装置。
【請求項４】
前記検出部は、前記駆動用電源電位と前記基準電位との電位差である駆動用電源電圧が前記駆動回路の最小駆動電圧より大きい所定の値より低くなることにより前記供給停止することを検出する、
ことを特徴とする請求項１から３のいずれか一項に記載の液晶表示装置。
【請求項５】
前記信号選択回路は、前記電源電位が供給停止されることが検出された後に出力される前記駆動用垂直同期信号の周期が前記供給停止することが検出される前に出力される前記駆動用垂直同期信号の周期より短くなるように前記駆動用垂直同期信号を出力する、
ことを特徴とする請求項１から４のうちいずれか一項に記載の液晶表示装置。
【発明の詳細な説明】
【技術分野】
【０００１】
本発明は液晶表示装置に関する。
【背景技術】
【０００２】
液晶表示装置は通常は１フレームなどの一定期間ごとに液晶に印加する電圧の極性を反転させる交流化駆動を行い、液晶に長時間直流電圧を印加しないようにしている。液晶表示装置を停止する場合には、駆動用の電圧を降下させて各ラインの画素回路の液晶に順に降圧させた信号を書き込んでいる。一方、近年はデジタルスチルカメラなど電池駆動される機器の多くに液晶表示装置が組み込まれている。こういった液晶表示装置に対しては、ユーザが動作中に電池を外すなどにより、電源の供給が突然停止することが少なくない。この現象が起きると、液晶に印加された電圧が放電等で解消されるのに長時間かかるため、液晶に直流電圧が印加される。この状態で再起動すると液晶表示画面に残像やちらつきが生じる。特に停止後数分〜十数分に再起動した場合はちらつきの影響が無視できない。その残像やちらつきを軽減するため、電源供給のＯＦＦを検知し、ある階調を示す電圧を全画素回路に瞬間的に書込みする液晶表示装置があった。
【０００３】
特許文献１には、上述のある階調を示す電圧を全画素回路に瞬間的に書込みする液晶表示装置が開示されている。特許文献２は本願に関連する発明であり、ノートＰＣ等の正常終了前に液晶表示コントローラと異なる内部回路で制御信号を発生し各画素に所定の信号を書き込み、液晶表示コントローラからの同期信号などの制御信号が途絶しても残像を防ぐことのできる液晶表示装置が開示されている。なお、特許文献２には電源電圧の供給が中止された場合に予備電源に切り替えて上述の操作を行う構成も開示されている。
【先行技術文献】
【特許文献】
【０００４】
【特許文献１】特開２００４−２０５５８８号公報
【特許文献２】特開平１０−２２２１３４号公報
【発明の概要】
【発明が解決しようとする課題】
【０００５】
瞬間的に信号をベタ書込みする方法では、液晶に印加される電圧の解消が不十分となりやすく、残像やちらつきを防ぐ効果は限定的であった。
【０００６】
本発明は上記課題に鑑みてなされたものであって、その目的は電源の供給が突然停止する場合であっても残像やちらつきの発生を十分に軽減できる液晶表示装置を提供することにある。
【課題を解決するための手段】
【０００７】
本出願において開示される発明のうち、代表的なものの概要を簡単に説明すれば、以下
の通りである。
【０００８】
（１）停止用クロックを発生する停止用クロック発振器と、一端に電源装置から電源電位が供給され、他端に駆動用電源電位を生じるとともに前記他端から前記一端への電位の供給を防ぐダイオードを含む電源調整回路と、電源装置が前記電源電位を供給停止することを検出する検出部と、前記電源電位が供給停止されることが検出される前は表示コントローラから出力される表示用水平同期信号と表示用垂直同期信号とに基づいて駆動用水平同期信号と駆動用垂直同期信号とを出力し、前記電源電位が供給停止されることが検出された後は前記停止用クロック信号に基づいて駆動用水平同期信号と駆動用垂直同期信号とを出力する制御信号選択回路と、映像信号に基づく電圧を液晶に印加する複数の画素回路と、前記駆動用水平同期信号と前記駆動用垂直同期信号とに基づいて、前記複数の画素回路に映像信号を供給する駆動回路と、を含むことを特徴とする液晶表示装置。
【０００９】
（２）（１）において、前記電源調整回路は、一端が前記ダイオードの前記他端に接続され、他端に基準電位が供給されるキャパシタをさらに含む、ことを特徴とする液晶表示装置。
【００１０】
（３）（１）または（２）において、前記駆動回路は前記電源電位が供給停止されることが検出された後に前記駆動用水平同期信号と前記駆動用垂直同期信号とに基づいて前記画素回路が前記液晶に印加する電圧を前記停止信号の受信前より０に近づける映像信号を前記複数の画素回路に供給する、ことを特徴とする液晶表示装置。
【００１１】
（４）（１）から（３）のうちいずれか一つにおいて、前記検出部は、前記駆動用電源電位と前記基準電位との電位差である駆動用電源電圧が前記駆動回路の最小駆動電圧より大きい所定の値より低くなることにより前記供給停止することを検出する、ことを特徴とする液晶表示装置。
【００１２】
（５）（１）から（４）のうちいずれか一つにおいて、前記信号選択回路は、前記電源電位が供給停止されることが検出された後に出力される前記駆動用垂直同期信号の周期が前記供給停止することが検出される前に出力される前記駆動用垂直同期信号の周期より短くなるように前記駆動用垂直同期信号を出力する、ことを特徴とする液晶表示装置。
【発明の効果】
【００１３】
本発明によれば、電源の供給が突然停止する場合であっても液晶表示装置の残像やちらつきの発生を十分に軽減できる。
【図面の簡単な説明】
【００１４】
【図１】本発明の実施形態にかかる液晶表示装置の構造の概略を示す図である。
【図２】本発明の実施形態にかかる液晶表示装置の回路構成を示す図である。
【図３】電源調整回路の構成を示す回路図である。
【図４】制御信号選択回路の構成を示す回路図である。
【図５】電源装置の電源供給が途絶えた場合の駆動用電源電圧の変化を示す図である。
【図６】液晶表示装置を停止する際の各種信号を示す波形図である。
【発明を実施するための形態】
【００１５】
以下では、本発明の実施形態について図面に基づいて説明する。出現する構成要素のうち同一機能を有するものには同じ符号を付し、その説明を省略する。なお、以下では本発明をＩＰＳ方式の液晶表示装置に適用した例について記載する。
【００１６】
図１は、本発明の実施形態にかかる液晶表示装置の構造の概略を示す図である。本実施形態にかかる液晶表示装置は、アレイ基板ＴＳと、当該アレイ基板ＴＳと対向し、カラーフィルタが設けられた対向基板ＯＳと、両基板に挟まれた領域に封入された液晶材料と、アレイ基板ＴＳに取付けられた集積回路パッケージＤＩＣと、信号処理基板ＭＳと、フレキシブル基板ＦＰＣと、を含んで構成される。アレイ基板ＴＳ及び対向基板ＯＳは、いずれもガラス基板などの絶縁基板が加工されたものである。集積回路パッケージＤＩＣの中には、液晶を駆動するための回路などが配置されている。以下では集積回路パッケージＤＩＣをドライバＩＣと呼ぶ。アレイ基板ＴＳと対向基板ＯＳとが平面的に重なる領域の中には、画像を表示する表示領域ＤＡがある。アレイ基板ＴＳにはフレキシブル基板ＦＰＣが接続され、そのフレキシブル基板ＦＰＣは信号処理基板ＭＳ上のコネクタＣＮに接続されている。本実施形態では液晶表示装置は例えばデジタルスチルカメラなどの携帯機器に組み込まれており、携帯機器内の電源装置（例えば充電池など）から液晶表示装置に電源が供給されている。
【００１７】
図２は本発明の実施形態にかかる液晶表示装置の回路構成を示す図である。液晶表示装置は、複数の走査線ＧＬと、複数の映像信号線ＤＬと、複数の画素回路ＰＸと、複数のコモン線ＣＬと、水平駆動回路ＸＤＶと、垂直駆動回路ＹＤＶと、停止対応回路ＳＣと、停止用クロック発振器ＣＯと、液晶表示コントローラＣＬＣＤと、電源調整回路ＰＣＣと、を含む。複数の走査線ＧＬは、アレイ基板ＴＳ上の表示領域ＤＡ内を互いに並んで図中横方向に延びている。複数の映像信号線ＤＬは、アレイ基板ＴＳ上の表示領域ＤＡ内を互いに並んで図中縦方向に延びている、複数の画素回路ＰＸは、走査線ＧＬと映像信号線ＤＬの交点に対応して設けられている。各画素回路ＰＸは、ドレイン電極が対応する映像信号線ＤＬに接続され、ゲート電極が対応する走査線ＧＬに接続された画素トランジスタと、画素トランジスタのソース電極に接続された画素電極と、画素電極に対向し、画素電極との間の電圧を液晶に印加するコモン電極とを含む。複数のコモン線ＣＬは各走査線ＧＬに対応して設けられ、走査線ＧＬと平行して延びている。
【００１８】
複数の走査線ＧＬの一端および複数のコモン線ＣＬの一端は、垂直駆動回路ＹＤＶに接続されている。複数の映像信号線ＤＬの一端は水平駆動回路ＸＤＶに接続されている。垂直駆動回路ＹＤＶは走査線ＧＬを順に選択し、水平駆動回路ＸＤＶから選択された走査線ＧＬに接続された画素回路ＰＸに映像信号を供給する。するとその画素回路ＰＸがある領域の液晶にその映像信号に応じた電圧が印加される。その印加される電圧によって画像が階調表示される。垂直駆動回路ＹＤＶも水平駆動回路ＸＤＶも協調して各画素回路ＰＸを駆動しているため、これら二つの回路をあわせて駆動回路と呼ぶ。垂直駆動回路ＹＤＶと、水平駆動回路ＸＤＶとは、ドライバＩＣ内に設けられている。
【００１９】
液晶表示コントローラＣＬＣＤは信号処理基板ＭＳ上に設けられる。液晶表示コントローラＣＬＣＤは、外部から取得する画像データとシステムクロック線ＣＬＫから入力されるシステムクロックとから液晶表示装置に供給する表示用垂直同期信号、表示用水平同期信号、および各画素回路の表示階調を示すデータ信号を生成する。生成された表示用垂直同期信号、表示用水平同期信号、およびデータ信号は、それぞれ表示用垂直同期信号線ＶＳＹＮＣ、表示用水平同期信号線ＨＳＹＮＣ、データ信号線ＤＡＴＡに出力する。
【００２０】
停止用クロック発振器ＣＯは、信号処理基板ＭＳ上に設けられる。停止用クロック発振器ＣＯは、システムクロックと同じ周期の停止用クロック信号を発生し、停止用クロック線ＣＬＫ２に供給する。なお、停止用クロック発振器は、フレキシブル基板ＦＰＣ上に設けられてもよいし、アレイ基板ＴＳ上に設けられてもよい。またドライバＩＣ内に設けられても良い。
【００２１】
電源調整回路ＰＣＣは、信号処理基板ＭＳ上に設けられる。電源調整回路ＰＣＣには、システム電源線Ｖｃｃと、基準電位が供給される接地線ＧＮＤと、駆動用電源線ＰＷとが接続される。システム電源線Ｖｃｃには携帯機器の電源装置から電源電位が供給される。接地線ＧＮＤには電源装置から基準電位が供給される。電源調整回路ＰＣＣは、電源電位が低下した際に駆動用電源電位の低下を遅らせる。ここで、電源電位と基準電位との間で液晶表示装置の駆動に必要な電位差が保たれていれば基準電位は０Ｖと異なっていてもよい。
【００２２】
図３は、電源調整回路ＰＣＣの構成を示す回路図である。電源調整回路ＰＣＣは、ショットキーバリアダイオードＤＩと、キャパシタＣ１とを含む。ショットキーバリアダイオードＤＩのアノードはシステム電源線Ｖｃｃに接続され、そのカソードは駆動用電源線ＰＷに接続される。キャパシタＣ１の一端はショットキーバリアダイオードＤＩのカソードに接続され、キャパシタＣ１の他端は接地線ＧＮＤと接続される。アノードに電源装置から電源電位が供給されると、カソードからは駆動用電源電位が供給される。ショットキーバリアダイオードＤＩは、携帯機器の回路に向けてキャパシタＣ１や駆動回路等の容量から電荷が流出することを防ぐ。見方を変えるとカソード側に供給される駆動電源電位からアノード側に電位を供給することを防いでいる。これにより、駆動用電源電位が低下するのにかかる時間をより長くすることができる。なお、電源調整回路ＰＣＣより駆動回路側の回路にキャパシタ等が配置されており、電圧降下が緩やかであれば、電源調整回路ＰＣＣにキャパシタＣ１を配置しなくてもよい。また電源調整回路ＰＣＣより電源装置側の電圧降下が十分に緩やかであれば、ショットキーバリアダイオードＤＩを設けなくてもよい。こうすれば電源装置の他に補助電源を用いなくても、液晶表示装置を停止する処理に必要な時間を確保することができる。
【００２３】
停止対応回路ＳＣは、ドライバＩＣ内に設けられる。停止対応回路ＳＣにはシステムクロック線ＣＬＫ、停止用クロック線ＣＬＫ２、表示用水平同期信号線ＨＳＹＮＣ、表示用垂直同期信号線ＶＳＹＮＣ、駆動回路制御線ＣＴＬ、駆動用クロック線ＤＣＬＫ、駆動用水平同期信号線ＤＨＳＹＮＣ、駆動用垂直同期信号線ＤＶＳＹＮＣ、駆動用電源線ＰＷ、および接地線ＧＮＤが接続されている。
【００２４】
図４は停止対応回路ＳＣの構成を示す回路図である。停止対応回路ＳＣは、レベルセンス回路ＬＶＣと、水平分周回路ＤＩＶＨと、垂直分周回路ＤＩＶＶと、クロックセレクタＳＣＬと、水平同期セレクタＳＨと、垂直同期セレクタＳＶと、を含む。水平分周回路ＤＩＶＨと、垂直分周回路ＤＩＶＶと、クロックセレクタＳＣＬと、水平同期セレクタＳＨと、垂直同期セレクタＳＶとは、レベルセンス回路ＬＶＣの検出結果に応じて制御信号を切替える制御信号選択回路を構成している。停止対応回路ＳＣは、駆動用電源電位と基準電位との電位差（駆動用電源電圧）が所定の値以上の場合は、表示用水平同期信号を駆動用水平同期信号として駆動用水平同期信号線ＤＨＳＹＮＣに出力し、表示用垂直同期信号を駆動用垂直同期信号線ＤＶＳＹＮＣに出力する。停止対応回路ＳＣは、駆動用電源電圧が所定の値より小さい場合は、停止用クロック線ＣＬＫ２から入力される停止用クロックに基づいて駆動用水平同期信号と駆動用垂直同期信号を生成し、それぞれ駆動用水平同期信号線ＤＨＳＹＮＣと駆動用垂直同期信号線ＤＶＳＹＮＣに出力する。
【００２５】
レベルセンス回路ＬＶＣは、電源装置が電源電位を供給停止することを検出する。レベルセンス回路ＬＶＣは、駆動用電源線ＰＷと接地線ＧＮＤとに接続され、選択信号線を介してクロックセレクタＳＣＬと、水平同期セレクタＳＨと、垂直同期セレクタＳＶとに検出結果である選択信号を出力する。またレベルセンス回路ＬＶＣは駆動回路制御線ＣＴＬに接続されている。レベルセンス回路ＬＶＣは駆動用電源線ＰＷから供給される駆動用電源電圧が所定の値より小さいか否かによって選択信号の電位を２種類の電位のうちから選択する。またレベルセンス回路ＬＶＣは駆動用電源線ＰＷから供給される駆動用電源電圧が所定の値より低くなった場合には駆動回路制御線ＣＴＬに停止信号を出力する。
【００２６】
図５は電源装置の電源供給が途絶えた場合の駆動用電源電圧の変化を示す図である。本図には、縦軸が電圧、横軸が時間であるグラフが示されている。はじめは電源装置から電源調整回路ＰＣＣを介して値がＶａ（例えば3.3Ｖ）である駆動用電源電圧が供給されているが、電源装置からの電源供給が途絶えるとその電圧は降下していく。しかし駆動用電源線ＰＷと接地線ＧＮＤとの間にはキャパシタ等が設けられているため、電圧の降下にはある程度の時間がかかる。電圧の降下により駆動用電源電圧がレベルセンス回路の閾値であるＶｓ（例えば3.0Ｖ）より下回ると、レベルセンス回路ＬＶＣは電圧降下を検出する。この閾値Ｖｓが上述の所定の値である。さらに電圧が駆動回路の最小駆動電圧Ｖｍｉｎより低下すると、駆動回路は動作不能になる。電圧がＶｓからＶｍｉｎになるまでが停止処理が可能な期間であり、これを停止処理可能期間ＴＯとよぶ。これらの説明からわかるように所定の値は駆動回路の最小駆動電圧より大きい。なお、仮に電源調整回路ＰＣＣにキャパシタＣ１やショットキーバリアダイオードＤＩを設けない場合の例では、停止処理可能期間ＴＯは３２ｍｓ程度である。なお、レベルセンス回路ＬＶＣは駆動用電源電圧ではなく、電源電圧の降下を検出するようにしてもよい。
【００２７】
水平分周回路ＤＩＶＨは、停止用クロック線ＣＬＫ２から停止用クロック信号を取得し、停止用クロック信号を分周して停止用水平同期信号を生成し出力する。停止用水平同期信号の周期と表示用水平同期信号の周期とが同じになるよう分周の比率は調整されている。なお、表示用水平同期信号の電位の立ち上がり（もしくは立ち下がり）によって水平分周回路ＤＩＶＨのカウントをリセットするようにしてもよい。
【００２８】
垂直分周回路ＤＩＶＶは、水平分周回路ＤＩＶＨから停止用水平同期信号を取得し、停止用水平同期信号を分周して停止用垂直同期信号を生成し出力する。停止用垂直同期信号の周期は表示用垂直同期信号の周期より短くなるよう分周数が調整されている。短くする期間は垂直帰線期間のうち不要な部分に相当する。よってこれらの周期の差は垂直帰線期間より小さい。なお電圧降下の時間が十分であれば、停止用垂直同期信号の周期と表示用垂直同期信号の周期とを同じにしてもよい。また表示用垂直同期信号の電位の立ち上がり（もしくは立ち下がり）によって垂直分周回路ＤＩＶＶのカウントをリセットするようにしてもよい。
【００２９】
クロックセレクタＳＣＬと、水平同期セレクタＳＨと、垂直同期セレクタＳＶとは駆動用電源電位と基準電位との差が所定の値より小さいか否かによってそれぞれ駆動用クロック線ＤＣＬＫと、駆動用水平同期信号線ＤＨＳＹＮＣと、駆動用垂直同期信号線ＤＶＳＹＮＣとに供給する信号を選択する。
【００３０】
クロックセレクタＳＣＬにはシステムクロック線ＣＬＫからシステムクロックが入力され、停止用クロック線ＣＬＫ２から停止用クロックが入力される。選択信号線からの選択信号が、駆動用電源電圧が所定の値以上であることを示す場合には駆動用クロック線にシステムクロックを出力し、所定の値より小さいことを示す場合には駆動用クロック線に停止用クロックを出力する。
【００３１】
水平同期セレクタＳＨには表示用水平同期信号線ＨＳＹＮＣから表示用水平同期信号が入力され、水平分周回路ＤＩＶＨから停止用水平同期信号が入力される。選択信号線からの選択信号が、駆動用電源電圧が所定の値以上であることを示す場合には駆動用水平同期信号線ＤＨＳＹＮＣに表示用水平同期信号を出力し、所定の値より小さいことを示す場合には駆動用水平同期信号線ＤＨＳＹＮＣに停止用水平同期信号を出力する。
【００３２】
垂直同期セレクタＳＶには表示用垂直同期信号線ＶＳＹＮＣから表示用垂直同期信号が入力され、垂直分周回路ＤＩＶＶから停止用垂直同期信号が入力される。選択信号線からの選択信号が、駆動用電源電圧が所定の値以上であることを示す場合には駆動用垂直同期信号線ＤＶＳＹＮＣに表示用垂直同期信号を出力し、所定の値より小さいことを示す場合には駆動用垂直同期信号線ＤＶＳＹＮＣに停止用垂直同期信号を出力する。
【００３３】
以下では本実施形態にかかる液晶表示装置を停止する処理について説明する。図６は液晶表示装置を停止する際の各種信号を示す波形図である。図６には上から順に駆動用垂直同期信号線ＤＶＳＹＮＣに供給される駆動用垂直同期信号、コモン線ＣＬや映像信号線ＤＬに駆動回路から出力される映像信号用ドライバ出力ＤＯ、コモン線駆動電位Ｖｒｃ、映像信号線駆動電位Ｖｒｄ、ゲートスキャン信号ＧＳ、走査線駆動電位Ｖｒｇの波形図が示されている。ここで、横方向の破線は接地線ＧＮＤに供給される電位を示す。ゲートスキャン信号ＧＳは画素回路を選択する信号であり、駆動用水平同期信号に基づいて生成される。コモン線駆動電位Ｖｒｃはコモン線ＣＬに供給される。映像信号線駆動電位Ｖｒｄは映像信号線ＤＬに供給され、交流駆動において中心となる電位に相当する。走査線駆動電位Ｖｒｇは垂直駆動回路ＹＤＶが走査線を選択する際の電位に相当する。
【００３４】
タイミングＴｓｔでレベルセンス回路ＬＶＣから停止信号が出力されると、駆動回路はそのフレームの描画が終わるまではコモン線ＣＬと映像信号線ＤＬとの間に映像信号に基づく電位差を出力する。フレームの描画が終わった時点、言い換えれば垂直同期信号のパルスが出力されるタイミングＴ１に、駆動回路からコモン線ＣＬや映像信号線ＤＬへの電位差出力を停止し、コモン線駆動電位Ｖｒｃおよび映像信号線駆動電位Ｖｒｄを基準電位にむけて降圧することを開始する。ここから２フレームの期間（タイミングＴ３まで）は停止用クロック信号に基づいて生成された水平同期信号と垂直同期信号とが供給され、駆動回路は各画素回路に行ごとに階調を示す映像信号を供給し、各画素回路はその領域の液晶に印加する電圧を調整する。すると、各画素回路が前記液晶に印加する電圧の絶対値が停止信号の入力前より小さくなる。そして、タイミングＴ３になると、水平同期信号にあわせて画素回路を選択するゲートスキャン信号ＧＳを出力することも停止し、走査線駆動電位Ｖｒｇを基準電位に向けて降圧することを開始する。
【００３５】
これらの操作を停止前に行うことにより、液晶に直流電圧が長時間印加されることを防ぐことができる。そして、電池の脱落等により電源の供給が途絶え、その後５〜１０分で再起動した場合も、液晶表示画面のちらつきを抑えることができる。
【００３６】
これまで本発明の実施形態について説明してきたが、本発明は以上に説明した形態に限定されるものではない。例えばＴＮ方式やＶＡ方式等の液晶表示装置においても適用できる。ＩＰＳ方式とはコモン線ＣＬやコモン電極の位置が異なるのみであり、交流駆動が行われる点は同じであるからである。
【符号の説明】
【００３７】
ＣＮ  コネクタ、ＤＡ  表示領域、ＤＩＣ  集積回路パッケージ、ＦＰＣ  フレキシブル基板、ＭＳ  信号処理基板、ＯＳ  対向基板、ＴＳ  アレイ基板、ＣＬ  コモン線、ＤＬ  映像信号線、ＧＬ  走査線、ＰＸ  画素回路、ＸＤＶ  水平駆動回路、ＹＤＶ  垂直駆動回路、ＣＬＣＤ  液晶表示コントローラ、ＣＯ  停止用クロック発振器、ＰＣＣ  電源調整回路、ＳＣ  停止対応回路、ＣＬＫ  システムクロック線、ＣＬＫ２  停止用クロック線、ＣＴＬ  駆動回路制御線、ＤＡＴＡ  データ信号線、ＤＣＬＫ  駆動用クロック線、ＤＨＳＹＮＣ  駆動用水平同期信号線、ＤＶＳＹＮＣ  駆動用垂直同期信号線、ＨＳＹＮＣ  表示用水平同期信号線、ＶＳＹＮＣ  表示用垂直同期信号線、ＰＷ  駆動用電源線、Ｖｃｃ  システム電源線、ＧＮＤ  接地線、ＬＶＣ  レベルセンス回路、ＤＩＶＨ  水平分周回路、ＤＩＶＶ  垂直分周回路、ＳＣＬ  クロックセレクタ、ＳＨ  水平同期セレクタ、ＳＶ  垂直同期セレクタ、Ｃ１  キャパシタ、ＤＩ  ショットキーバリアダイオード、ＴＯ  停止処理可能期間、ＤＯ  映像信号用ドライバ出力、Ｖｒｃ  コモン線駆動電位、Ｖｒｄ  映像信号線駆動電位、ＧＳ  ゲートスキャン信号、Ｖｒｇ  走査線駆動電位。
【図１】
2011043761.tif 000003
【図２】
2011043761.tif 000004
【図３】
2011043761.tif 000005
【図４】
2011043761.tif 000006
【図５】
2011043761.tif 000007
【図６】
2011043761.tif 000008